(57)【要約】【課題】傘等の棒状の部材を鞄等の他の物体に容易に固定することができる留め具及び留め具付き鞄を提供する。【解決手段】留め具１は、帯状部材１０と、帯状部材１０の一方の主面に設けられ、一方の主面を内側にして帯状部材１０をその長手方向に２つ折りにした場合に接触する接触面同士の少なくとも１部を着脱可能に係止する面ファスナー２０と、帯状部材１０の他方の主面のうち、前記２つ折りにした際に形成される折曲部１４を境界とした一方の面の少なくとも一部に設けられ、帯状部材１０を他の物体に固定する接着テープ３０と、を備える。【選択図】図１
0003178398.tif 000002
【実用新案登録請求の範囲】
【請求項１】
棒状の部材を他の物体に固定する留め具であって、
帯状部材と、
前記帯状部材の一方の主面に設けられ、前記一方の主面を内側にして前記帯状部材をその長手方向に２つ折りにした場合に接触する接触面同士の少なくとも１部を着脱可能に係止する係止手段と、
前記帯状部材の他方の主面のうち、前記２つ折りにした際に形成される折曲部を境界とした一方の面の少なくとも一部に設けられ、前記帯状部材を前記他の物体に固定する固定手段と、
を備えたことを特徴とする留め具。
【請求項２】
前記係止手段は、面ファスナーであることを特徴とする請求項１に記載の留め具。
【請求項３】
前記帯状部材の長手方向の前記固定手段が設けられている側とは反対側の一方の端部の面積は、他方の端部の面積よりも大きいことを特徴とする請求項１又は２に記載の留め具。
【請求項４】
前記一方の端部には、短手方向に突出する手掛部が設けられていることを特徴とする請求項３に記載の留め具。
【請求項５】
前記固定手段は、接着テープであることを特徴とする請求項１から４の何れか１項に記載の留め具。
【請求項６】
表面に留め具が固定された留め具付き鞄であって、
前記留め具は、
帯状部材と、
前記帯状部材の一方の主面に設けられ、前記一方の主面を内側にして前記帯状部材をその長手方向に２つ折りにした場合に接触する接触面同士の少なくとも１部を着脱可能に係止する係止手段と、を備え、
前記帯状部材の他方の主面のうち、前記２つ折りにした際に形成される折曲部を境界とした一方の面の少なくとも一部が前記鞄に固定されていることを特徴とする留め具付き鞄。
【考案の詳細な説明】
【技術分野】
【０００１】
本考案は、傘等の棒状の部材を鞄等の物体に固定する留め具、及び当該留め具が取り付けられた留め具付き鞄に関する。
【背景技術】
【０００２】
雨が降っている時、或いは雨が降りそうな時に、人がアタッシュケース等の取手付きの鞄を持って外出する場合、鞄に加えて傘を携帯する。鞄と傘を携帯して外出した人が電車に乗り、席に座る時には、鞄を膝の上に載せ、鞄越しに傘を床に立てて傘の杖を手で支えることが多い。このような姿勢では、本を読んだり携帯情報端末を操作したり眠ったりすることが難しいという問題があった。手を自由に使えるようにするために、傘を座席の端の手すりにかけたり電車の壁に立てかけたりすることも考えられるが、この場合、下車するときに傘を車内に置き忘れてしまうという問題があった。
【０００３】
このような問題点を解決するために、鞄の底部に傘を固定するための留め具が提案されている。例えば、特許文献１に記載の留め具は、１対の収納帯で構成されており、各収納帯は長手方向が鞄の底面の長手方向に平行となるように１直線状に配置され、各収納帯の向かい合う端部は鞄の底部に固定されている。使用時には、各収納帯で傘を囲い込み、各収納帯に取り付けられたタッチ・クローズファスナーを貼り合わせてリングを形成し、当該リング内に傘を保持する。
【０００４】
特許文献２に記載の留め具は、１対の帯状の第１留め部材と第２留め部材で構成されており、第１留め部材は鞄に固着されるとともに、第２留め部材は第１留め部材に着脱可能な状態で固着されている。使用時には、第２留め部材を第１留め部材から剥がし、第１留め部材と第２留め部材との間に傘を挟み込み、第２留め部材の両側部を第１留め部材に固着する。
【先行技術文献】
【特許文献】
【０００５】
【特許文献１】登録実用新案第３１６９８９０号
【特許文献２】登録実用新案第３１３５１５４号
【考案の概要】
【考案が解決しようとする課題】
【０００６】
しかしながら、特許文献１、２に記載された留め具は、鞄の底部に予め固定されているため、留め具を鞄の側面に取り付けたり、待合室の壁に一時的に取り付けたりすることができず、留め具の取り付け場所の自由がきかなかった。
【０００７】
また、特許文献１に記載の留め具は、２つの収納帯で傘を巻き付ける形式であるため、電車の中では傘が水平方向に揺動し易く、安定感に欠けるといった問題があった。また、各収納帯を左右の手でそれぞれ掴んで傘に巻き付ける必要があり、傘を固定する操作が面倒であった。
【０００８】
また、特許文献２に記載の留め具を構成する第１の止め部材と第２の止め部材とは分離した別の部材であり、第１の止め部材のみが鞄に固定されているため、第２の止め部材を紛失し易いという問題点があった。また、傘を固定する際に、第２の止め部材を第１の留め部材から全部剥がしてしまうと、第２の止め部材の各端部を左右の手でそれぞれ掴んで傘を第１の止め部材と第２の止め部材の間に挟み込み、第２の止め部材の両端部を第１の止め部材に圧着する必要があり、傘を固定する操作が面倒であった。
【０００９】
さらに、雨が降っていない時に閉じた傘と手提げ鞄を携帯して歩行する場合には、鞄の底部が水平となり当該底部に傘を固定することができないため、一方の手に鞄を持ち他方の手に傘を持つ必要があり、両手がふさがってしまう。このように両手がふさがった状態では、例えば、携帯電話機に着信があった場合に即座に応答できず、また、財布を取り出したりすることができないという問題があった。
【００１０】
本考案は、上記問題点を解決するためになされたものであり、傘等の棒状の部材を鞄等の他の物体に容易に固定することができる留め具及び留め具付き鞄を提供することを目的とする。
【００１１】
また、本考案は、傘等の棒状部材を安定的に鞄等の他の物体に固定することができる留め具及び留め具付き鞄を提供することを特徴とする。
【００１２】
また、本考案は、留め具を構成する部材を紛失し難い留め具及び留め具付き鞄を提供する。
【００１３】
また、本考案は、他の物体の表面の任意の箇所に脱着可能な留め具を提供する。
【課題を解決するための手段】
【００１４】
上記課題の少なくとも１つを解決するために、本考案に係る留め具は、棒状の部材を他の物体に固定する留め具であって、帯状部材と、前記帯状部材の一方の主面に設けられ、前記一方の主面を内側にして前記帯状部材をその長手方向に２つ折りにした場合に接触する接触面同士の少なくとも１部を着脱可能に係止する係止手段と、前記帯状部材の他方の主面のうち、前記２つ折りにした際に形成される折曲部を境界とした一方の面の少なくとも一部に設けられ、前記帯状部材を前記他の物体に固定する固定手段と、を備えたことを特徴とする。
【００１５】
本考案によれば、固定手段で帯状部材を鞄等の他の物体に固定し、帯状部材を２つ折りにして傘等の棒状部材を挟み込み、係止手段で帯状部材の接触面同士を係止することで、棒状部材を他の物体に容易且つ安定的に固定することができる。また、留め具は帯状部材を２つ折りにして使用され、分離した部材で構成されていないため、留め具を構成する部材を紛失し難い。
【００１６】
上記考案において、前記係止手段は、面ファスナーであることを特徴とする。
【００１７】
本考案によれば、面ファスナーを用いることで、帯状部材を２つ折りにした際の接触面同士を強固に係止したり、係止状態を容易に解くことができる。
【００１８】
上記考案において、前記帯状部材の長手方向の前記固定手段が設けられている側とは反対側の一方の端部の面積は、他方の端部の面積よりも大きいことを特徴とする。
【００１９】
本考案によれば、２つ折りにされた留め具の面積の大きい方の端部に手をかけて帯状部材をめくり易くすることができ、係止手段により係止されている帯状部材を容易に剥がすことができる。
【００２０】
上記考案において、前記一方の端部には、短手方向に突出する手掛部が設けられていることを特徴とする。
【００２１】
本考案によれば、２つ折りにされた留め具の手掛け部に手をかけて帯状部材をめくり易くすることができ、係止手段により係止されている帯状部材を容易に剥がすことができる。
【００２２】
上記考案において、前記固定手段は、接着テープであることを特徴とする。
【００２３】
本考案によれば、留め具を他の物体の表面に脱着可能に固定することができる。
【００２４】
また、本発明に係る留め具付き鞄は、表面に留め具が固定された留め具付き鞄であって、前記留め具は、帯状部材と、前記帯状部材の一方の主面に設けられ、前記一方の主面を内側にして前記帯状部材をその長手方向に２つ折りにした場合に接触する接触面同士の少なくとも１部を着脱可能に係止する係止手段と、を備え、前記帯状部材の他方の主面のうち、前記２つ折りにした際に形成される折曲部を境界とした一方の面の少なくとも一部が前記鞄に固定されていることを特徴とする。
【００２５】
本考案によれば、帯状部材を２つ折りにして傘等の棒状部材を挟み込み、係止手段で帯状部材の接触面同士を係止することで、棒状部材を鞄に容易且つ安定的に固定することができる。
【考案の効果】
【００２６】
本考案に係る留め具は、帯状部材と、前記帯状部材の一方の主面に設けられ、前記一方の主面を内側にして前記帯状部材をその長手方向に２つ折りにした場合に接触する接触面同士の少なくとも１部を着脱可能に係止する係止手段と、前記帯状部材の他方の主面のうち、前記２つ折りにした際に形成される折曲部を境界とした一方の面の少なくとも一部に設けられ、前記帯状部材を他の物体に固定する固定手段と、を備えているため、前記固定手段で前記帯状部材を鞄等の他の物体に固定し、前記帯状部材を２つ折りにして傘等の棒状部材を挟み込み、前記係止手段で前記帯状部材の接触面同士を係止することで、棒状部材を他の物体に容易且つ安定的に固定することができる。
【図面の簡単な説明】
【００２７】
【図１】本考案の実施形態に係る留め具の一方の主面の図である。
【図２】同実施形態に係る留め具の他方の主面の図である。
【図３】同実施形態に係る留め具を長手方向中央部で２つ折りにした場合の留め具の表面図である。
【図４】同実施形態に係る留め具を長手方向中央部で２つ折りにした場合の留め具の裏面図である。
【図５】図３に示す留め具をＡ方向から見た側面図である。
【図６】留め具を鞄の底面に固定した様子を示す図である。
【図７】２つ折りの帯状部材に設けられた面ファスナーを全部剥がした状態を示す図である。
【図８】２つ折りの帯状部材の間に傘を挟み込んだ状態を示す図である。
【図９】車内での留め具の使用例を示す図である。
【図１０】変形例に係る２つ折りの帯状部材の間に傘を挟み込んだ状態を示す図である。
【考案を実施するための形態】
【００２８】
以下、本考案の実施形態について添付の図面を参照しながら詳細に説明する。
【００２９】
図１は本考案の実施形態に係る留め具１の一方の主面の図、図２は留め具１の他方の主面の図、図３は留め具１を長手方向中央部で２つ折りにした場合の留め具１の表面図、図４は留め具１を長手方向中央部で２つ折りにした場合の留め具１の裏面図、図５は図３に示す留め具１をＡ方向から見た側面図である。
【００３０】
これらの図に示すように、留め具１は本体が帯状部材１０で形成されている。
【００３１】
留め具１は、傘、杖、ラケット等の任意の棒状部材を鞄、壁等の他の物体に固定するために使用されるものである。本実施形態では、棒状部材として傘を例にとって説明する。留め具１は、使用時には傘を挟み込むために図３〜５に示すように長手方向中央部で２つ折りにされる。帯状部材１０は細長い部材であるため、未使用時（留め具１を販売する際や、ユーザが留め具１を携帯する際）にも、２つ折りの状態とする方が持ち運びに便利である。
【００３２】
帯状部材１０の長手方向の一方の端部には、短手方向両側に突出する手掛部１２が設けられている。当該手掛部１２は、帯状部材１０を長手方向中央部で２つ折りにした場合に、帯状部材１０の他方の端部から突出するため、手掛部１２に手をかけて、２つ折りにした帯状部材１０をめくり易くすることができる。
【００３３】
なお、手掛部１２は、２つ折りにした帯状部材１０をめくり易くするものであるため、形状は半円状、矩形状等、任意の平面形状とすることができる。また、手掛け部１２は、短手方向両側に限らず、短手方向片側のみに設けてもよいし、短手方向に限らず長手方向に設けてもよい。或いは、端部全体の面積を大きくしてもよい。
【００３４】
図１及び図５に示すように、帯状部材１０の一方の主面には、係止手段としての面ファスナー２０が固着されている。面ファスナー２０としては、一般的に知られているマジックテープ（登録商標）やベロクロ（登録商標）を用いることができる。
【００３５】
面ファスナー２０は、フック状に起毛された雄型の面ファスナー２０ａと、ループ状に起毛された雌型の面ファスナー２０ｂで構成される。本実施形態では、帯状部材１０の長手方向中央部を境界として手掛部１２が設けられている側の部材（以下「表側部材１０ａ」という）の一方の主面には、雄型の面ファスナー２０ａが固着され、手掛部１２が設けられていない側の部材（以下「裏側部材１０ｂ」という）の前記一方の主面には、雌型の面ファスナー２０ｂが固着されている。そして、前記一方の主面を内側にして長手方向中央部を折曲部１４として２つ折りにすると、雄型の面ファスナー２０ａと雌型の面ファスナー２０ｂとが係合する。したがって、２つ折りにする際に傘を挟み込むことで、帯状部材１０は２つ折りの状態で面ファスナー２０により係止され、傘は表側部材１０ａと裏側部材１０ｂとの間に挟着される。
【００３６】
なお、係止手段としては、面ファスナー２０に限らず、前記一方の主面の表側部材１０ａと裏側部材１０ｂそれぞれに設けたホックであってもよいし、表側部材１０ａに設けた長孔と、裏側部材１０ｂの前記一方の主面に設けられ前記長孔に挿通し回転させることにより係止される突起であってもよい。
【００３７】
図２、図４及び図５に示すように、帯状部材１０の裏側部材１０ｂの他方の主面には、固定手段としての接着テープ３０が固着されている。当該接着テープ３０は、留め具１を鞄、壁等の他の物体に固定するためのものである。当該接着テープ３０は、他の物体の表面に貼り付けたときの接着強度が大きく、繰り返し剥がしたり貼り付けたりできるものが好ましい。このような脱着可能な接着テープ３０を使用することにより、留め具１の使用時には留め具１を鞄や壁に貼り付けて傘を留め具１に固定することができ、未使用時には留め具１を鞄や壁から取り外して鞄やポケットに収納し、必要となったときに再度使用することができる。接着テープ３０としては、例えば両面テープを用いることができる。両面テープの片面は剥離紙で保護されているため、両面テープのもう片方の面を裏側部材１０ｂの前記他方の主面に貼り付けて当該留め具１を販売すれば、ユーザは留め具１の使用時には両面テープの剥離紙を剥がし留め具１を所望の場所に貼り付けることができる。
【００３８】
なお、固定手段としては、着脱可能な接着テープ３０に限定されることはなく、着脱不可能なものであってもよい。
【００３９】
なお、帯状部材１０の材質については、表側部材１０ａと裏側部材１０ｂを同一の素材で形成してもよいし、異なる素材で形成し一体に繋ぎ合わせたものであってもよい。表側部材１０ａは、引っ張っても切断しにくく可塑性のある素材が好ましく、例えば、皮、合成皮革、布、天然樹脂、合成樹脂等が考えられる。裏側部材１０ｂはある程度丈夫な部材であれば、可塑性がなくてもよく、プラスチック、皮、合成皮革、布、天然樹脂、合成樹脂等が考えられる。
【００４０】
図６は、上述した留め具１を鞄４０の底面に接着テープ３０で固定した様子を示す図である。留め具１は、その長手方向が鞄４０の底面の長手方向と略平行となるように貼り付けるのが好ましい。鞄４０の種類としては、表面の素材が接着テープ３０を貼り付けることが可能な素材であれば、どのようなものであってもよい。
【００４１】
なお、接着テープ３０が鞄４０に貼り付かなかったり、容易に剥がれてしまう場合には、留め具１の裏側部材１０ｂを鞄４０に縫い付けてもよいし、接着剤で接着してもよいし、ホックで固定してもよい。
【００４２】
ユーザが鞄４０、傘、２つ折り状態の留め具１を携帯して電車内の座席に座る場合には、まず、鞄４０の取手部を手前側に向けて鞄４０を膝の上に載せる。そして、留め具１を鞄４０やポケットから取り出し、当該留め具１に設けられた接着テープ３０の剥離紙を剥がし、留め具１を鞄４０の底面に固定する。
【００４３】
次に、ユーザは帯状部材１０の手掛部１２に手を掛けて引っ張り、面ファスナー２０を全部又は折曲部１４の手前付近まで剥がす。面ファスナー２０を全部剥がしたとしても、図７に示すように、表側部材１０ａと裏側部材１０ｂとは繋がっている１枚の帯状部材１０であるため、表側部材１０ａが鞄４０から離脱することはない。
【００４４】
次に、ユーザは、傘の先端を床に立て、傘の胴体部を裏側部材１０ｂに押し当てた状態で、表側部材１０ａで傘の胴体部を覆い、表側部材１０ａの手掛部１２付近を裏側部材１０ｂ側に押し付ける。これにより、表側部材１０ａと裏側部材１０ｂは面ファスナー２０で係止され、図８に示すように、傘は表側部材１０ａ及び裏側部材１０ｂの間に挟み込まれて固定される。
【００４５】
この状態では、図９に示すように、傘の先端が床に支持され、傘の胴体が鞄の留め具１に挟着されるため、ユーザが傘を手で支えなくても、傘を安定的に鞄４０の底面に保持することができる。したがって、ユーザは、電車の中で両手を自由に使うことができるため、本を読んだり、携帯情報端末を操作したり、眠ったりすることが容易になる。
【００４６】
また、雨が降っていない時にユーザが鞄と傘を携帯して歩行している場合には、留め具１を鞄の側面に固定し、当該留め具１に傘を固定することで、ユーザは傘を手に持つ必要がなくなり片手を自由に使うことができる。このため、例えば、ユーザは携帯している携帯電話機に着信があった時に即座に応答することができるし、また、携帯電話機から電話をかけたり財布を取り出したりするのに支障がない。
【００４７】
なお、上述した実施形態では、面ファスナー２０を帯状部材１０の一方の主面の略全域に設けた例について説明したが、帯状部材１０で傘を挟み込んで固定することができれば、面ファスナー２０を帯状部材１０の前記一方の主面の一部に設けてもよい。例えば、図１０に示すように、帯状部材１０の折曲部１４付近に傘を固定する場合には、帯状部材１０の前記一方の主面の両端部付近のみに面ファスナー２０を設ければよい。
【００４８】
以上説明したように、本実施形態に係る留め具１は、帯状部材１０を２つ折りにして傘を挟み込んで固定するため、傘を挟み込むのが容易であり、且つ安定的に傘を留め具１に固定することができる。また、留め具１を構成する部材を紛失することがない。さらに、留め具１の製造が容易である。また、接着テープ３０を脱着可能なものとすることで、必要に応じて任意の場所に留め具１を設置し傘を固定することができる。
【符号の説明】
【００４９】
１………留め具、１０………帯状部材、１０ａ………表側部材、１０ｂ………裏側部材、１２………手掛部、１４………折曲部、２０………面ファスナー、２０ａ………雄型の面ファスナー、２０ｂ………雌型の面ファスナー、３０………接着テープ、４０………鞄。
【図１】
0003178398.tif 000003
【図２】
0003178398.tif 000004
【図３】
0003178398.tif 000005
【図４】
0003178398.tif 000006
【図５】
0003178398.tif 000007
【図６】
0003178398.tif 000008
【図７】
0003178398.tif 000009
【図８】
0003178398.tif 000010
【図９】
0003178398.tif 000011
【図１０】
0003178398.tif 000012